(57)【特許請求の範囲】
【請求項１】
遊技機の各種関連設備がそれぞれ収納される上段ユニットと下段ユニットの間に、複数の遊技機が列を成す中段ユニットを配置して成る遊技機島であって、
前記上段ユニットは、島長手方向の所定間隔おきに島長手方向と略直交するよう垂設される複数の仕切板と、各仕切板間を連結するよう架設される複数のパイプ部材とを備え、かつ前記中段ユニットとは予め独立可能に構成され、
前記上段ユニットの各パイプ部材に長手方向に延びるスリットを形成し、該スリットよりパイプ部材内に前記関連設備の各種信号線を束ねるように収納したことを特徴とする遊技機島。
【請求項２】
前記各パイプ部材毎にそれぞれ類別した信号線を別々に収納したことを特徴とする請求項１記載の遊技機島。
【請求項３】
前記各パイプ部材は各仕切板と共に上段ユニットの骨組を構成することを特徴とする請求項１または２記載の遊技機島。
【請求項４】
前記各仕切板の両側縁側を切り欠いて、前記関連設備である各種センサを含むセンサケースを配置させる収納用凹部を形成したことを特徴とする請求項１，２または３記載の遊技機島。
【発明の詳細な説明】
【０００１】
【発明の属する技術分野】
本発明は、遊技機の各種関連設備がそれぞれ収納される上段ユニットと下段ユニットの間に、複数の遊技機が列を成す中段ユニットを配置して成る遊技機島に関する。ここで遊技機とは主としてパチンコ機を指すものである。
【０００２】
【従来の技術】
従来、パチンコ機を列設して成る遊技機島を構築する場合には、遊技店内の施工現場にて、先ず島全体の骨格をなすフレーム材を最初から島の高さに組み上げ、それから順次、島下段をなす貯留タンクや腰板、島中段をなす複数のパチンコ機や球貸し機、それに島上段をなす給配樋や幕板等の関連設備をフレーム材の枠組内外に組付けるようにして行われていた。
【０００３】
パチンコ機や球貸し機を含む島中段に比べると、島上段へ組付ける関連設備は比較的少ないが、その分スペース的な余裕があるために、様々な関連設備から延びたり接続される各種信号線が集中的に配されることが多い。これら多数の信号線は、いたずらに絡まらないよう適当な束ね具等によって束ねられ、通常は信号線が剥き出しの状態のままフレーム部材等に動かぬように止着されていた。
【０００４】
【発明が解決しようとする課題】
しかしながら、前述したような従来の遊技機島では、その島全体の大きさに相当する枠組を個々のフレーム材から総て施工現場で組み上げるので、フレーム部材同士の連結箇所が多く精度出しにも手間を要し、島の構築に非常に時間がかかり、コストを低減する際の大きな支障になるという問題点があった。
【０００５】
また、組み上った枠組への関連設備の組付け作業のうち、意外に島上段への各種信号線の配線作業が面倒であり手間がかかり、しかも通常は信号線が剥き出しのまま単に束ねられて止着されるだけなので、他の関連設備の組付け時に誤って引っ掛けたり更には切断とてしまう場合も多々あり、その改善策が望まれていた。
【０００６】
本発明は、以上のような従来技術の有する問題点に着目してなされたもので、相当の高さに構築されて組付け作業がしずらい島上段を独立させて例えば工場等で低い位置にて組立てておくことができ、また、島上段への各種信号線の配線作業を容易かつ迅速に行うことができ、しかも各種信号線の切断事故を防止することができる遊技機島を提供することを目的としている。
【０００７】
【課題を解決するための手段】
前述した目的を達成するための本発明の要旨とするところは、以下の各項に存する。
請求項１記載の発明では、
遊技機（１１）の各種関連設備がそれぞれ収納される上段ユニット（１０Ａ）と下段ユニット（１０Ｃ）の間に、複数の遊技機（１１）が列をなす中段ユニット（１０Ｂ）を配置して成る遊技機島（１０）であって、
前記上段ユニット（１０Ａ）は、島長手方向の所定間隔おきに島長手方向と略直交するよう垂設される複数の仕切板（２０）と、各仕切板（２０）間を連結するよう架設される複数のパイプ部材（３０）とを備え、かつ前記中段ユニット（１０Ｂ）とは予め独立可能に構成され、
前記上段ユニット（１０Ａ）の各パイプ部材（３０）に長手方向に延びるスリット（３１）を形成し、該スリット（３１）よりパイプ部材（３０）内に前記関連設備の各種信号線を束ねるように収納したことを特徴とする遊技機島（１０）に存する。
【０００８】
また、請求項２記載の発明では、
前記各パイプ部材（３０）毎にそれぞれ類別した信号線を別々に収納したことを特徴とする請求項１記載の遊技機島（１０）に存する。
【０００９】
また、請求項３記載の発明では、
前記各パイプ部材（３０）は各仕切板（２０）と共に上段ユニット（１０Ａ）の骨組を構成することを特徴とする請求項１または２記載の遊技機島（１０）に存する。
【００１０】
更にまた、請求項４記載の発明では、
前記各仕切板（２０）の両側縁側を切り欠いて、前記関連設備である各種センサを含むセンサケース（３３）を配置させる収納用凹部（２４Ａ）を形成したことを特徴とする請求項１，２または３記載の遊技機島（１０）に存する。
【００１１】
次に前述した解決手段に基づく作用を説明する。
請求項１記載の遊技機島（１０）によれば、上段ユニット（１０Ａ）と下段ユニット（１０Ｃ）の間に中段ユニット（１０Ｂ）を配置して成るので、各ユニット毎にそれぞれ別々に工場等で規格化して製作でき、遊技店等の施工現場へは各ユニット毎に容易に搬入でき、施工現場では各ユニットを順次積み上げるようにして、島全体を簡易に構築できる。しかも、遊技機（１１）の交換や関連設備の増減等の際に遊技機島（１０）の分解・組み立てを効率的に行なうことができる。
【００１２】
特に上段ユニット（１０Ａ）は、もとから中段ユニット（１０Ｂ）とは独立可能に構成されており、その取扱いや施工が一層容易となる。かかる上段ユニット（１０Ａ）は、所定間隔おきに島長手方向と略直交するよう垂設された複数の仕切板（２０）と、各仕切板（２０）間を連結するよう架設された複数のパイプ部材（３０）とを具備して成るため、十分な強度に保つことができ、これら仕切板（２０）に予め外壁をなす幕板等を組み付けておいてもよい。
【００１３】
前記各パイプ部材（３０）に長手方向に延びるスリット（３１）を形成し、該スリット（３１）よりパイプ部材（３０）内に関連設備の各種信号線を束ねるように収納するだけで配線でき、上段ユニット（１０Ａ）への各種信号線の配線作業を容易かつ迅速に行うことができる。信号線はパイプ部材（３０）内に収納されるので、上段ユニット（１０Ａ）内で信号線が徒にがさばることがなくすっきりと配線できる。
【００１４】
しかも、各種信号線はパイプ部材（３０）に囲まれるので、他の関連設備に誤って引っ掛けたりすることがなくなり、切断事故を確実に防止するこができる。なお、必要に応じてパイプ部材（３０）のスリット（３１）の途中から信号線を引き出したり、或はスリット（３１）の途中より信号線をパイプ部材（３０）内に収納すればよい。
【００１５】
請求項２記載の遊技機島（１０）によれば、各パイプ部材（３０）毎にそれぞれ類別した信号線を別々に収納したから、配線を分かり易く整理することができる。また、請求項３記載の遊技機島（１０）によれば、各パイプ部材（３０）は各仕切板（２０）と共に上段ユニット（１０Ａ）の骨組を構成するから、上段ユニット（１０Ａ）をより強固なものとすることができる。
【００１６】
更にまた、請求項４記載の遊技機島（１０）によれば、前記各仕切板（２０）の両側縁側を切り欠いて、各種センサを含むセンサケース（３３）を配置させる収納用凹部（２４Ａ）を形成したから、各仕切板（２０）が各種センサに干渉する事態を防ぐことができ、各種センサの配設スペースを確実に確保でき、センサケース（３３）を定位置に固定できる。
【００１７】
【発明の実施の形態】
以下、図面に基づき本発明を代表する実施の形態を説明する。
図１〜図３は本発明の一の実施の形態を示している。
本実施形態に係る遊技機島１０は、遊技機としてのパチンコ機１１の各種関連設備がそれぞれ収納される上段ユニット１０Ａと下段ユニット１０Ｃの間に、各パチンコ機１１が列をなす中段ユニット１０Ｂを配置して成る。発明の根幹をなす上段ユニット１０Ａは、図３に示すように島長手方向の所定間隔おきに垂設された複数の仕切板２０，２０…を骨組みの中核として、十分な強度を備えるようにユニット化され、中段ユニット１０Ｂとは予め独立可能に構成されている。
【００１８】
図１に示すように、上段ユニット１０Ａは、所定間隔で島長手方向と直交するよう垂設された前記各仕切板２０と、各仕切板２０間を連結するよう架設された複数のパイプ部材３０，３０…とを主要骨組として、その周囲に上面板２５や下面板２６、それに内側壁２７や外壁をなす幕板２８を予め組み付けて枠組型に構成されている。かかる上段ユニット１０Ａ内には、各パチンコ機１１にパチンコ球を供給する給配樋３２、各種センサを含むセンサケース３３の他、貨幣搬送装置４０や貨幣識別装置５０（図２参照）等の関連設備が配設されている。
【００１９】
各仕切板２０間に架設されている各パイプ部材３０には、それぞれ長手方向に延びるスリット３１が形成され、該スリット３１よりパイプ部材３０内に遊技関連設備の各種信号線が束ねられるように収納されている。なお、各パイプ部材３０のスリット３１は通常のパイプ材に後から加工したり、或は最初からＣ字型断面の長尺のチャンネル材を利用したものであってもよい。
【００２０】
各パイプ部材３０には、それぞれ類別した信号線が別々に束ねられ収納されている。すなわち、スリット３１が形成された４本のパイプ部材３０毎に、例えば図１に示す如く各種センサ類やコンピューターの信号線Ａ、各パチンコ機１１の役物等の信号線Ｂ、パチンコ球計数器関連の信号線Ｃ、呼出しランプ等の信号線Ｄが類別されて配線されている。
【００２１】
本明細書中でいう「信号線」とは、諸々の配線を含む意であり細かなニクロム線から電源コード等をも含む意である。また、各仕切板２０の両側縁上部には、各々のパイプ部材３０のスリット３１に連通する信号線差込溝２４Ｂが切り欠かれてる。各パイプ部材３０内に収納された信号線は、スリット３１途中から適宜パイプ部材３０外へ引き出すように配線でき、またパイプ部材３０内へと引込ませることができる。
【００２２】
また、各仕切板２０の略中央は上下に延びる矩形に切り欠かれて、中空部２１が形成されている。この中空部２１は、給配樋３２が上下に移動可能に挿通するための空間をなすものである。また、各仕切板２０には、前記中空部２１に挿通させた給配樋３２を所望の高さ位置に支持するための樋支持部材２３が設けられている。この樋支持部材２３は、前記中空部２１をまたぐ状態で両端が中空部２１両脇に上下位置調整可能に装着される細巾状に延びる部材である。
【００２３】
更に詳しく言えば、樋支持部材２３の両端には、中空部２１両脇に沿って上下に複数連設された掛止ピン２２に選択的に嵌合する取付孔２３ａ，２３ａが設けられている。また、樋支持部材２３の上部には、給配樋３２の底部の幅に合致した嵌合溝２３ｂが設けられている。給配樋３２は、所定の高さ位置に装着された前記樋支持部材２３上に載置する、すなわち底部が嵌合溝２３ｂに嵌合するようにして配設されている。
【００２４】
図３に示すように、島中央に近い仕切板２０から島端に向って各仕切板２０に装着する樋支持部材２３の高さ位置を順次低くすると、その上に給配樋２０は島端に向って下がるような所定の傾斜角度に設定される。かかる給配樋２０の傾斜角度は、各仕切板２０に装着した樋支持部材２３の高さ位置を変更することで適宜調整できるようになっている。
【００２５】
仕切板２０に樋支持部材２３を装着するための手段は図示した具体的構成に限定されるわけではなく、更に樋支持部材自体も細巾状部材だけでなく例えば一対のフック等から構成してもよい。なお、給配樋２０の途中箇所には、図示省略したが各パチンコ機１１及び各球貸機１９に対応した配給シュートと称される球の供給部材が取付けられている。また、図１に示すように各仕切板２０の両側縁側は一部矩形状に切り欠かれて収納用凹部２４Ａが形成されている。この収納用凹部２４Ａは、各種センサを含むセンサケース３３を配置させるめたの部位となっている。
【００２６】
また、図２に示すように、上段ユニット１０Ａには、遊技関連設備として貨幣識別装置４０や貨幣搬送装置５０が収納されている。貨幣識別装置４０は、紙幣や硬貨の投入口４１（図２参照）に投入された紙幣や貨幣を磁気・光方式で特定する各種センサの他、ＣＰＵ，ＲＡＭ，ＲＯＭ等を含むマイクロコンピュータを備えている。貨幣搬送装置５０は、前記貨幣識別装置４０から排出された紙幣や硬貨を搬送するために、島長手方向に延びるように張設されるコンベヤベルトを具備して成る。
【００２７】
以上のような上段ユニット１０Ａを含む遊技機島１０の土台をなす下段ユニット１０Ｃは、各パチンコ機１１を載置する天板６１と、該天板６１下側より垂下する腰部支持板６２とを一体的に組み付けて成る。かかる下段ユニット６０内には、各パチンコ機１１から排出された球を受け入れる貯留タンク６３が収納されている。この貯留タンク６３は複数に分割されたタンクブロックを長手方向に連結して構成してもよく、始めから所定の大きさの一つのタンクとして一体成形してもよい。なお、貯留タンク６３内のパチンコ球は島中央側へと傾斜した底部を流下し、図示省略した研磨揚送装置の下端に集まるように設定されている。
【００２８】
図２に示すように下段ユニット１０Ｃの天板６１上には、各パチンコ機１１の下端が所定範囲で前後左右に移動可能に支持される載置レール１２が設けられている。載置レール１２の奥側にはパチンコ機１１の下端が島長手方向に移動可能に嵌合する突起１２ａが突設されており、載置レール１２の手前側は球箱を置けるスペースとなっている。また、前述した上段ユニット１０Ａの下面板２６には、各パチンコ機１１の上端に突設した被嵌合レール１１ａが前後方向に回動可能かつ島長手方向にも移動可能に内嵌する吊下レール１４が設けられている。
【００２９】
吊下レール１４は略Ｃ字形断面であり図１の紙面と直角に延びており、かかる吊下レール１４は、下面板２６に島奥行方向にスライド可能に装着された上方ブラケット１３に対して、高さ位置を調整できるようねじ軸を介して吊下げられている。更に上方ブラケット１３には、上下に進退可能なねじ状の角度調整部材１５が螺合している。この角度調整部材１５は、各パチンコ機１１上端の前端縁側を適度に押圧することにより、前記被嵌合レール１１ａを回動中心とした各パチンコ機１１の微妙な傾き角度を調整するための部材である。
【００３０】
前記載置レール１２の下面にはスプリング付きベアリング（図示せず）が取付けられており、載置レール１２は、天板６１上を島長手方向及び島奥行方向に移動できるようになっている。また、スプリングの弾性変形により、載置レール１２上のパチンコ機１１下端は、その傾斜角度に応じて略水平面に対して適宜変位できるように設定されている。
【００３１】
載置レール１２と吊下レール１４との間に装着されるパチンコ機１１は、ハンドルの回転操作によってパチンコ球を盤面上に打ち出し、打球の入賞を競い楽しむものであり、正面側には球を機内に導入する前皿や球貯留用の予備皿等が設けられている。また、各パチンコ機１１間に介装された球貸機１９は、後述する貨幣識別機５０（図２参照）からの信号を受けた際に、相当数の球を計数しつつ払い出すものである。
【００３２】
各パチンコ機１１や球貸機１９は、中段支持体１６を間にして前後２列となるように列設されている。中段支持体１６は中段ユニット１０Ｂの骨格をなすものであり、前記上段ユニット１０Ａと同様にパイプ部材３０が架設されている。また、中段支持体１６には、各パチンコ機１１を島奥行方向に動力で移動させる駆動ユニット１７も組み込まれている。かかる駆動ユニット１７は上下２台で１組となっており、詳しくはパルスモータと、その回転により島奥行方向に移動してパチンコ機１１の背面側を押引きするスクリュー或はラック等から構成されている。
【００３３】
次に前述した実施の形態の作用を説明する。
図２に示すように、遊技機島１０は上段ユニット１０Ａと下段ユニット１０Ｃの間に中段ユニット１０Ｂを配置して成るので、各ユニット毎にそれぞれ別々に工場等で規格化して製作でき、遊技店等の施工現場へは各ユニット毎に容易に搬入できる。そして、施工現場では各ユニット１０Ａ，１０Ｂ，１０Ｃを順次積み上げるようにして、島全体を簡易に構築できる。しかも、遊技機１１の交換や関連設備の増減等の際に遊技機島１０の分解・組み立てを効率的に行なうことができる。
【００３４】
特に上段ユニット１０Ａは、中段ユニット１０Ｂとは別個独立に構成され、かつ中段ユニット１０Ｂの中段支持体１６上へ簡単に組み付けられるようになっており、その取扱いや施工が一層容易である。図１及び図２に示すように、上段ユニット１０Ａは、所定間隔おきに島長手方向と略直交するよう垂設された複数の仕切板２０，２０…を備え、各仕切板２０はパイプ部材３０，３０…によって強固に連結されるため、十分な強度に保つことができる。各仕切板２０と各パイプ部材３０から成る骨組の周囲には上面板２５、下面板２６、内側壁２７それに幕板２８を組み付けておく。
【００３５】
各パイプ部材３０内には、そのスリット３１より関連設備の各種信号線を束ねるように収納するだけで配線でき、上段ユニット１０Ａへの各種信号線の配線作業を容易かつ迅速に行うことができる。信号線はパイプ部材３０内に収納されるので、上段ユニット１０Ａ内で信号線が徒にがさばることがなくすっきりと配線できる。
【００３６】
しかも、各種信号線はパイプ部材３０に囲まれるので、他の関連設備に誤って引っ掛けたりすることがなくなり、切断事故を確実に防止するこができる。また、図１に示す如く各パイプ部材３０毎にそれぞれ類別した信号線Ａ，Ｂ，Ｃ，Ｄを別々に収納したから、配線を分かり易く整理することができ、修理点検作業の便宜を図ることができる。なお、必要に応じてパイプ部材３０のスリット３１の途中から信号線を引き出したり、或はスリット３１の途中より信号線をパイプ部材３０内に収納すればよい。
【００３７】
また、上段ユニット１０Ａ内には関連設備である給配樋３２を収納するが、前記各仕切板２０には給配樋３２が挿通する中空部２１を形成したので、給配樋３２を島長手方向に延びるように配設する際に各仕切板２０が障壁となることはない。また、中空部２１は上下に広がる矩形状であり、給配樋３０を中空部２１に挿通させた状態で上下に移動させて、その高さ位置を様々に決めることができる。
【００３８】
各仕切板２０には給配樋３２を所望の高さに支持するための樋支持部材２３を装着するが、この樋支持部材２３は、その両端の取付孔２３ａ，２３ａを中空部２１両脇に複数連設された掛止ピン２２に選択的に嵌合させるだけで所望の高さ位置に簡単に固定できる。すなわち、前記給配樋３２は、所望の高さに固定された樋支持部材２３上に載せるように配設すればよい。
【００３９】
このように各仕切板２０に設けた樋支持部材２３を、そのまま給配樋３２を途中数カ所で支えるための支持ポイントとして設定でき、しかも樋支持部材２３の高さ位置を調整することで、極めて容易に給配樋３２の傾斜角度を自由に設定できる。具体的には、図３に示すように、島中央に近い仕切板２０から島端に向って各仕切板２０に装着する樋支持部材２３の高さ位置を順次低くすると、その上に給配樋２０は島端に向って下がるような所定の傾斜角度に設定される。
【００４０】
仮に遊技機島１０の全長が短いような場合には、図３中で想像線（二点破線）で示したように給配樋３２’を急勾配で短くなるように配設してもよい。もちろん、後から島全長や球供給速度に応じて傾斜角度を調整し直すことも容易である。また、図１に示すように、各仕切板２０には収納用凹部２４Ａを形成したから、各仕切板２０が各種センサに干渉する事態を防ぐことができ、各種センサの配設スペースを確実に確保でき、センサケース３３を定位置に固定できる。
【００４１】
前述した上段ユニット１０Ａの他、下段ユニット６０は天板６１と腰部支持板６２とを一体的に組み付けて成るので、予め工場等で量産でき、施工現場では島下段を構成する部材間の精度出しや組付け作業は不要となり、遊技機島１０の施工時間を大幅に短縮することができる。また、十分な強度に設定することができる。
【００４２】
また、中段ユニット１０Ｂをなす各パチンコ機１１の取付けは、その上端にある被嵌合レール１１ａを上段ユニット１０Ａ側の吊下レール１４に嵌合させ、また、各パチンコ機１１の下端を天板６１上の載置レール１２上に設置すればよい。パチンコ機１１上端の被嵌合レール１１ａは、吊下レール１４に嵌合した状態でレール長手方向に移動可能であり、また、パチンコ機１１下端も載置レール１２上を島長手方向に移動できる。従って、各パチンコ機１１を移動させつつ、島端から順次並ぶように配置させることができる。
【００４３】
各パチンコ機１１を適所に配置させた後、上段ユニット１０Ａ側の上方ブラケット１３に螺合する角度調整部材１５によりパチンコ機１１上端の前端縁側を適度に押圧すれば、パチンコ機１１は前記吊下レール１４に嵌合している被嵌合レール１１ａを回動中心として微妙に傾動するため、パチンコ機１１の傾き角度を容易に調整することができる。
【００４４】
更には、前記上方ブラケット１３は、上段ユニット１０Ａの下面板２６に対して島奥行方向に一定範囲でスライド可能であり、しかも前記載置レール１２は天板６１上を島奥行方向に移動できる。従って、各パチンコ機１１をそれぞれ島奥行方向における最適な位置にも後から調整することができる。特に本実施形態によれば、駆動ユニット１７により自動的に調整するようなことも可能となる。
【００４５】
なお、本発明に係る遊技機島の具体的構成は図示した実施の形態に限定されるものではない。
【００４６】
【発明の効果】
本発明に係る遊技機島によれば、上段ユニットを中段ユニットとは独立可能に構成し、上段ユニットの骨組をなす各仕切板に架設した各パイプ部材内に各種信号線を束ねるように収納したから、ユニット化により施工現場における島全体の構築作業が簡単となり、しかも上段ユニット内への各種信号線の配線作業を容易かつ迅速に行うことができ、また各種信号線はパイプ部材でガードされるため他の設備との干渉等による切断事故を防止することができる。
【図面の簡単な説明】
【図１】本発明の実施形態に係る遊技機島の内部構造を概略的に示す端面図である。
【図２】本発明の実施形態に係る遊技機島の上段ユニット、中段ユニット、及び下段ユニットを互いに分解した状態を示す端面図である。
【図３】本発明の実施形態に係る遊技機島を示す正面図である。但し本図においては、上段ユニットのみ内部構造を表している。
【符号の説明】
１０…遊技機島
１０Ａ…上段ユニット
１０Ｂ…中段ユニット
１０Ａ…上段ユニット
１１…パチンコ機（遊技機）
２０…仕切板
３０…パイプ部材
３１…スリット
３２…給配樋
【図１】
0003859752.tif 000002
【図２】
0003859752.tif 000003
【図３】
0003859752.tif 000004